(57)【要約】【課題】通信環境の安定を図ること。アプリケーションでのデータの送信あるいは受信を行えない時間を短くすること。【解決手段】無線通信端末１は、通信方式が異なる第１のネットワーク１１と第２のネットワーク１２に接続可能である。タイマー６は、無線通信状態に基づいて計時を開始し一定時間経過時に第１の時間の計時を終了する。タイマー６は、無線通信状態に基づいて計時を開始し第１の時間より長い第２の時間の計時を終了する。無線通信端末１は、第１の時間の計時終了までは、接続中の第１のネットワーク１１に対して再接続を試行する。無線通信端末１は、第１の時間の計時終了時に接続先を第２のネットワーク１２に切り替えるか、接続可能な第２のネットワーク１２が存在しない場合には、第２の時間の計時終了まで、第１のネットワーク１１に対して再接続を試行する。【選択図】図１
2013078065.tif 000002
【特許請求の範囲】
【請求項１】
通信方式が異なる第１のネットワークと第２のネットワークのそれぞれに対応する通信方式による無線通信によって前記第１のネットワークと前記第２のネットワークのいずれかに接続する無線通信部と、
前記無線通信部が接続するネットワークの切り替えを制御する制御部と、
無線通信状態に基づいて計時を開始し一定時間経過時に第１の時間の計時を終了し、無線通信状態に基づいて計時を開始し前記第１の時間より長い第２の時間の計時を終了するタイマーと、
を備え、
前記制御部は、
前記タイマーが前記第１の時間の計時を終了するまでは前記無線通信部が接続する前記第１のネットワークを維持して該第１のネットワークに対して再接続を試行し、
前記タイマーが前記第１の時間の計時を終了した時に接続可能な状態の前記第２のネットワークが存在する場合には、前記無線通信部の接続先を該第２のネットワークに切り替え、
前記タイマーが前記第１の時間の計時を終了した時に接続可能な状態の前記第２のネットワークが存在しない場合には、前記タイマーが前記第２の時間の計時を終了するまで、前記タイマーが前記第１の時間の計時を終了するまで維持していた接続先の前記第１のネットワークに対して再接続を試行する
ことを特徴とする無線通信端末。
【請求項２】
前記タイマーは、無線通信状態に基づいて計時を開始し一定時間経過した時に第１の時間の計時を終了する第１のタイマーと、無線通信状態に基づいて計時を開始し前記第１の時間より長い第２の時間の計時を終了する第２のタイマーと、を備えることを特徴とする請求項１に記載の無線通信端末。
【請求項３】
前記タイマーは、無線通信状態が悪化した時に計時を開始することを特徴とする請求項１に記載の無線通信端末。
【請求項４】
前記第１のタイマー及び前記第２のタイマーは、無線通信状態が悪化した時に計時を開始することを特徴とする請求項２に記載の無線通信端末。
【請求項５】
前記第１の時間及び前記第２の時間に基づく、計時開始から計時終了までの時間は、ネットワークごとに決められることを特徴とする請求項１乃至４のいずれか一項に記載の無線通信端末。
【請求項６】
前記制御部は、前記タイマーあるいは前記第２のタイマーが前記第２の時間の計時を終了した時に、前記第１のネットワークから割り当てられた識別情報を解放して圏外とすることを特徴とする請求項１乃至５のいずれか一項に記載の無線通信端末。
【請求項７】
無線通信状態に基づいて開始され一定時間経過時に終了する第１の時間が終了するまで接続先の第１のネットワークを維持して該第１のネットワークに対して該第１のネットワークに対応する通信方式によって再接続を試行し、
前記第１の時間が終了した時に別の通信方式により接続可能な状態の第２のネットワークが存在する場合には、接続先を該第２のネットワークに切り替え、
前記第１の時間が終了した時に別の通信方式により接続可能な状態の第２のネットワークが存在しない場合には、無線通信状態に基づいて計時を開始し前記第１の時間より長い第２の時間が終了するまで、前記第１の時間が終了するまで維持していた接続先の前記第１のネットワークに対して再接続を試行する
ことを特徴とする無線通信方法。
【発明の詳細な説明】
【技術分野】
【０００１】
この発明は、無線通信端末及び無線通信方法に関する。
【背景技術】
【０００２】
従来、ボタン電話装置に収容可能なＷＬＡＮ（Ｗｉｒｅｌｅｓｓ  Ｌｏｃａｌ  Ａｒｅａ  Ｎｅｔｗｏｒｋ、ワイヤレス・ローカル・エリア・ネットワーク）端末とＰＨＳ（Ｐｅｒｓｏｎａｌ  Ｈａｎｄｙｐｈｏｎｅ  Ｓｙｓｔｅｍ、パーソナル・ハンディフォン・システム）端末とを使用した移動通信システムがある。このような移動通信システムにおいて、ＷＬＡＮ端末が、ボタン電話装置に収容している電話機との通話中にハンドオーバーを開始すると、ボタン電話装置は通話をＷＬＡＮ端末からＰＨＳ端末へと切り替えることによりハンドオーバーを実行するようにしたものがある（例えば、特許文献１参照）。
【０００３】
また、複数の通信方式に対応可能な無線通信端末がある。このような無線通信端末において、圏外状態において通信開始の要求がなされると、圏外状態にあると判定されてから捕捉試行処理を開始するまでの経過時間に応じて設定される時間幅で捕捉試行処理を実行するようにしたものがある（例えば、特許文献２参照）。
【０００４】
また、ＣＤＭＡ（Ｃｏｄｅ  Ｄｉｖｉｓｉｏｎ  Ｍｕｌｔｉｐｌｅ  Ａｃｃｅｓｓ、コード・ディヴィジョン・マルチプル・アクセス）とＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ、ワールド・インターオペラビリティ・フォー・マイクロウェーブ・アクセス、ＷｉＭＡＸは登録商標）の両方の通信方式に対応した無線通信端末がある。この無線通信端末は、現在通信中の通信方式で基地局などの上位局との接続を維持できなくなると、一定期間、同じ通信方式での接続の再確立を試みた後、別の通信方式での接続の確立を試みる。
【先行技術文献】
【特許文献】
【０００５】
【特許文献１】特開２００９−２３２１４２号公報
【特許文献２】特開２００８−１１３２４９号公報
【発明の概要】
【発明が解決しようとする課題】
【０００６】
しかしながら、従来の無線通信端末では、通信方式を切り替えるまでの時間が長いと、現在のネットワークとの接続が切れた状態で同じ通信方式での接続の再確立を試みる時間が長くなる。また、何れの通信方式でも接続を確立できない時に圏外とするまでの時間が長いと、接続が切れた状態の時間が長くなる。そのため、上位レイヤのアプリケーションでデータの送信あるいは受信を行えない時間が長くなってしまうという問題点がある。
【０００７】
一方、通信方式を切り替えるまでの時間が短いと、現在のネットワークとの通信状態が悪化した時にすぐに接続先が別のネットワークに切り替わる。接続先が切り替わった直後に切り替え前のネットワークとの通信状態が改善すると、またすぐに接続先が切り替え前のネットワークに切り替わる、というように、二つの通信方式の間を頻繁に行ったり来たりする状態が起こってしまう。つまり、通信環境が安定しなくなるという問題点がある。このように通信環境が不安定になると、電池の消耗が激しくなったり、接続先のネットワークの切り替えに伴う処理が増えてデータの送信あるいは受信ができない時間が増えてしまう。
【０００８】
通信環境の安定を図ることができる無線通信端末及び無線通信方法を提供することを目的とする。アプリケーションでのデータの送信あるいは受信を行えない時間を短くすることができる無線通信端末及び無線通信方法を提供することを目的とする。
【課題を解決するための手段】
【０００９】
無線通信端末は、無線通信部、制御部及びタイマーを備えている。無線通信部は、通信方式が異なる第１のネットワークと第２のネットワークのそれぞれに対応する通信方式による無線通信によって第１のネットワークと第２のネットワークのいずれかに接続する。制御部は、無線通信部が接続するネットワークの切り替えを制御する。タイマーは、無線通信状態に基づいて計時を開始し一定時間経過時に第１の時間の計時を終了し、無線通信状態に基づいて計時を開始し第１の時間より長い第２の時間の計時を終了する。
【００１０】
そして、制御部は、タイマーが第１の時間の計時を終了するまでは無線通信部が接続する第１のネットワークを維持してこの第１のネットワークに対して再接続を試行する。また、制御部は、タイマーが第１の時間の計時を終了した時に接続可能な状態の第２のネットワークが存在する場合には、無線通信部の接続先をその第２のネットワークに切り替える。一方、制御部は、タイマーが第１の時間の計時を終了した時に接続可能な状態の第２のネットワークが存在しない場合には、タイマーが第２の時間の計時を終了するまで、タイマーが第１の時間の計時を終了するまで維持していた接続先の第１のネットワークに対して再接続を試行する。
【発明の効果】
【００１１】
無線通信端末及び無線通信方法によれば、通信環境の安定を図ることができるという効果を奏する。また、アプリケーションでのデータの送信あるいは受信を行えない時間を短くすることができるという効果を奏する。
【図面の簡単な説明】
【００１２】
【図１】図１は、実施例１にかかる無線通信端末を示すブロック図である。
【図２】図２は、実施例１にかかる無線通信方法を示すフローチャートである。
【図３】図３は、実施例２にかかる無線通信システムを示すブロック図である。
【図４】図４は、実施例２にかかる無線通信システムのサービスエリアの一例を示す模式図である。
【図５】図５は、実施例２にかかる無線通信端末のハードウェア構成を示すブロック図である。
【図６】図６は、実施例２にかかる無線通信端末の機能的構成を示すブロック図である。
【図７】図７は、実施例２にかかる無線通信端末のタイマーと動作との関係を説明する模式図である。
【図８】図８は、実施例２にかかる無線通信端末のタイマーと動作との関係を説明する模式図である。
【図９】図９は、実施例２にかかる無線通信方法を説明するフローチャートである。
【図１０】図１０は、図９の続きを示すフローチャートである。
【図１１】図１１は、実施例２にかかる無線通信方法を説明するフローチャートである。
【図１２】図１２は、図１１の続きを示すフローチャートである。
【図１３】図１３は、実施例２にかかる無線通信方法を説明するフローチャートである。
【図１４】図１４は、図１３の続きを示すフローチャートである。
【発明を実施するための形態】
【００１３】
以下に添付図面を参照して、この無線通信端末及び無線通信方法の好適な実施の形態を詳細に説明する。以下の各実施例の説明においては、同様の構成要素には同一の符号を付して、重複する説明を省略する。
【００１４】
（実施例１）
・無線通信端末の説明
図１は、実施例１にかかる無線通信端末を示すブロック図である。図１に示すように、無線通信端末１は、無線通信部２、制御部３、タイマー６を備えている。タイマー６は、第１のタイマー４及び第２のタイマー５を備えていてもよい。タイマー６は、一つのタイマーを備えた構成であっても、第１のタイマー４と第２のタイマー５を備えた複数のタイマーを備えた構成であってもよい。一つのタイマーで構成する場合は、タイマー６が後述する第１の時間や第２の時間を計測すればよい。但し、以下の実施の形態では、第１の時間を計時する第１のタイマー４と、第２の時間を計時する第２のタイマー５を備えている構成を一例として説明する。
【００１５】
無線通信部２は、通信方式が異なる第１のネットワーク１１と第２のネットワーク１２のそれぞれに対応する通信方式による無線通信によって第１のネットワーク１１と第２のネットワーク１２のいずれかに接続する。制御部３は、無線通信部２が接続するネットワーク１１，１２の切り替えを制御する。第１のタイマー４は、無線通信状態に基づいて計時を開始し一定時間経過時に第１の時間の計時を終了する。第２のタイマー５は、無線通信状態に基づいて計時を開始し第１の時間より長い第２の時間の計時を終了する。
【００１６】
そして、制御部３は、第１のタイマー４が第１の時間の計時を終了するまでは無線通信部２が接続する第１のネットワーク１１を維持してこの第１のネットワーク１１に対して再接続を試行する。第１のタイマー４が第１の時間の計時を終了した時に、接続可能な状態の第２のネットワーク１２が存在する場合と存在しない場合とがある。
【００１７】
第２のネットワーク１２が存在する場合には、制御部３は、無線通信部２の接続先をその第２のネットワーク１２に切り替える。第２のネットワーク１２が存在しない場合には、制御部３は、第２のタイマー５が第２の時間の計時を終了するまで、第１のタイマー４が第１の時間の計時を終了するまで接続先として維持していた第１のネットワーク１１に対して再接続を試行する。
【００１８】
・無線通信方法の説明
図２は、実施例１にかかる無線通信方法を示すフローチャートである。図２に示すように、基地局やアクセスポイントなどの上位局との無線接続処理が開始されると、無線通信端末１の無線通信部２は、接続可能な状態のネットワークのうち、第１のネットワーク１１に、第１のネットワーク１１に対応する通信方式によって接続する（ステップＳ１）。そして、第１のネットワーク１１との無線通信状態が所定の状態になるまで（ステップＳ２：Ｎｏ）、無線通信部２は、第１のネットワーク１１との接続を継続する（ステップＳ１）。
【００１９】
第１のネットワーク１１との無線通信状態が所定の状態、例えば通信中の第１のネットワーク１１との通信接続環境が悪化して通信できない状態や、接続が不安定な状態になると（ステップＳ２：Ｙｅｓ）、無線通信端末１の制御部３は、第１のタイマー４が計時する第１の時間が終了するまで（ステップＳ４：Ｎｏ）、接続先として第１のネットワーク１１を維持する。そして、制御部３は、無線通信部２により、現在のネットワーク、すなわち第１のネットワーク１１に対して、第１のネットワーク１１に対応する通信方式によって再接続を試行する（ステップＳ３）。
【００２０】
一方、第１の時間が終了した時に（ステップＳ４：Ｙｅｓ）、別の通信方式により接続可能な状態の第２のネットワーク１２が存在する場合には（ステップＳ５：Ｙｅｓ）、制御部３は、無線通信部２の接続先を第２のネットワーク１２に切り替える。そして、制御部３は、無線通信部２により、第２のネットワーク１２に対して、第２のネットワーク１２に対応する通信方式によって接続し（ステップＳ８）、一連の処理を終了する。第２のネットワーク１２に接続中に無線通信状態が所定の状態、例えば通信中の第２のネットワーク１２との通信接続環境が悪化して通信できない状態や、接続が不安定な状態になると、ステップＳ３以降の処理が行われる。
【００２１】
一方、別の通信方式により接続可能な状態の第２のネットワーク１２が存在しない場合には（ステップＳ５：Ｎｏ）、制御部３は、無線通信部２により、現在のネットワーク、すなわち第１のネットワーク１１に対して、第１のネットワーク１１に対応する通信方式によって再接続を試行する（ステップＳ６）。制御部３は、第２のタイマー５が計時する第２の時間が終了するまで（ステップＳ７：Ｎｏ）、現在のネットワークへの再接続を試行し続ける。
【００２２】
第２の時間が終了すると（ステップＳ７：Ｙｅｓ）、制御部３は、無線通信状態を圏外とし、一連の処理を終了する。圏外の状態から再び接続可能な状態のネットワークが存在する状態に復帰すると、ステップＳ１以降の処理が行われる。
【００２３】
実施例１によれば、現在の接続先のネットワークとの通信状態が悪化した場合、第１の時間が経過した時点で、無線通信端末１は、接続可能な状態にある別のネットワークに接続先を切り替える。従って、第２の時間が経過するまで切り替え前のネットワークに対して再接続を試みる場合に比べて、アプリケーションでのデータの送信あるいは受信を行えない時間を短くすることができる。
【００２４】
また、実施例１によれば、現在の接続先のネットワークとの通信状態が悪化した場合、第１の時間が経過するまでは、無線通信端末１は、現在の接続先のネットワークへの再接続を試みる。従って、複数の通信方式のいずれにおいても通信状態が不安定である場合に、複数の通信方式の間を頻繁に行ったり来たりする状態が起こるのを避けることができる。従って、通信環境の安定を図ることができる。
【００２５】
また、実施例１によれば、第１の時間が終了した時点で、接続可能な状態にある別のネットワークが存在しない場合、第２の時間が終了するまで、無線通信端末１は、現在の接続先のネットワークへの再接続を試みる。従って、第１の時間が終了した後、第２の時間が終了する前に、現在の接続先のネットワークとの通信状態が改善されると、無線通信端末１は、再び現在の接続先のネットワークに接続するので、接続性の高い無線通信端末１を提供することができる。
【００２６】
（実施例２）
実施例２では、無線通信端末が、特に限定しないが、例えばＷｉ−Ｆｉ（Ｗｉｒｅｌｅｓｓ  Ｆｉｄｅｌｉｔｙ、ワイヤレス・フィデラティ、Ｗｉ−Ｆｉは登録商標）、ＷｉＭＡＸ及びＣＤＭＡの三つの通信方式に対応したマルチモード端末であるとする。ＣＤＭＡには、ＣＤＭＡ  １ｘ／ＥＶＤＯ（Ｅｖｏｌｕｔｉｏｎ  Ｄａｔａ  Ｏｎｌｙ、エボリューション・データ・オンリー）の通信方式が含まれていてもよい。以下の説明では、ＣＤＭＡの表記には、ＣＤＭＡ  １ｘ／ＥＶＤＯも含まれているとする。なお、マルチモード端末が対応する通信方式は、二つであってもよいし、四つ以上であってもよい。
【００２７】
・無線通信システムの説明
図３は、実施例２にかかる無線通信システムを示すブロック図である。図３に示すように、無線通信システムは、無線通信端末２１、Ｗｉ−Ｆｉアクセスネットワーク２２、ＷｉＭＡＸアクセスネットワーク２５、ＣＤＭＡアクセスネットワーク２８及びＩＰコアネットワーク３１を備えている。
【００２８】
Ｗｉ−Ｆｉアクセスネットワーク２２は、ＰＤＩＦ（Ｐａｃｋｅｔ  Ｄａｔａ  Ｉｎｔｅｒｆａｃｅ、パケット・データ・インタフェース）２３及びＷｉ−Ｆｉアクセスポイント２４を含む。無線通信端末２１は、Ｗｉ−Ｆｉ規格の通信方式によってＷｉ−Ｆｉアクセスポイント２４に接続する。ＰＤＩＦ２３は、Ｗｉ−Ｆｉアクセスポイント２４及びＩＰコアネットワーク３１のＨＡ（Ｈｏｍｅ  Ａｇｅｎｔ、ホーム・エージェント）３３に接続されている。ＰＤＩＦ２３は、Ｗｉ−Ｆｉアクセスポイント２４とＨＡ３３との間でデータの送信あるいは受信を行う。
【００２９】
ＷｉＭＡＸアクセスネットワーク２５は、ＡＳＮ−ＧＷ（Ａｃｃｅｓｓ  Ｓｅｒｖｉｃｅ  Ｎｅｔｗｏｒｋ  Ｇａｔｅｗａｙ、アクセス・サービス・ネットワーク・ゲートウェイ）２６及びＷｉＭＡＸ基地局２７を含む。無線通信端末２１は、ＷｉＭＡＸ規格の通信方式によってＷｉＭＡＸ基地局２７に接続する。ＡＳＮ−ＧＷ２６は、ＷｉＭＡＸ基地局２７及びＨＡ３３に接続されている。ＡＳＮ−ＧＷ２６は、ＷｉＭＡＸ基地局２７とＨＡ３３との間でデータの送信あるいは受信を行う。
【００３０】
ＣＤＭＡアクセスネットワーク２８、ＰＤＳＮ（Ｐａｃｋｅｔ  Ｄａｔａ  Ｓｅｒｖｉｎｇ  Ｎｏｄｅ、パケット・データ・サービング・ノード）２９及びＣＤＭＡ基地局３０を含む。無線通信端末２１は、ＣＤＭＡ規格の通信方式によってＣＤＭＡ基地局３０に接続する。ＰＤＳＮ２９は、ＣＤＭＡ基地局３０及びＨＡ３３に接続されている。ＰＤＳＮ２９は、ＣＤＭＡ基地局３０とＨＡ３３との間でデータの送信あるいは受信を行う。Ｗｉ−Ｆｉアクセスポイント２４、ＷｉＭＡＸ基地局２７及びＣＤＭＡ基地局３０は、無線通信端末２１に対してネットワーク側の上位局（親局）にあたる。
【００３１】
ＩＰコアネットワーク３１は、ＨＡＡＡ（Ｈｏｍｅ  Ａｕｔｈｅｎｔｉｃａｔｉｏｎ，  Ａｕｔｈｏｒｉｚａｔｉｏｎ  ａｎｄ  Ａｃｃｏｕｎｔｉｎｇ、ホーム・オーセンティケーション・オーソリゼーション・アンド・アカウンティング）３２及びＨＡ３３を含む。ＨＡ３３は、無線通信端末２１の位置情報を管理し、Ｗｉ−Ｆｉアクセスネットワーク２２、ＷｉＭＡＸアクセスネットワーク２５及びＣＤＭＡアクセスネットワーク２８とＨＡＡＡ３２との間でＩＰパケットなどのデータの送信あるいは受信を行う。ＨＡＡＡ３２は、認証、承認及び課金を行うサーバである。
【００３２】
・無線通信システムのサービスエリアの一例
図４は、実施例２にかかる無線通信システムのサービスエリアの一例を示す模式図である。図４に示すように、例えば、ＣＤＭＡでは、基地局あたりのカバー範囲４１，４２が広く、圏外となるエリアが少ない。ＷｉＭＡＸでは、基地局あたりのカバー範囲４３，４４，４５，４６がＣＤＭＡのカバー範囲４１，４２よりも狭い中程度の広さであり、カバー範囲４３，４４，４５，４６の間に圏外となるエリアが存在することがある。Ｗｉ−Ｆｉでは、アクセスポイントのカバー範囲４７，４８がさらに狭く局所的となることがある。
【００３３】
このようなネットワーク側の上位局の配置によるサービスエリアの広狭や配置、圏外となるエリアの配置及び通信速度などの種々の状況に応じて、無線通信端末２１が接続する際の優先順位が決められていてもよい。例えば、Ｗｉ−Ｆｉの優先順位が一番高く、次いで、ＷｉＭＡＸが高く、次いでＣＤＭＡの順でもよい。以下、一例として優先順位がＷｉ−Ｆｉ、ＷｉＭＡＸ、ＣＤＭＡであるとして説明する。
【００３４】
・無線通信端末のハードウェア構成の説明
図５は、実施例２にかかる無線通信端末のハードウェア構成を示すブロック図である。図５に示すように、無線通信端末２１は、無線通信部として例えばＷｉ−Ｆｉ、ＷｉＭＡＸ及びＣＤＭＡのそれぞれに対応するＷｉ−Ｆｉ送受信部５１、ＷｉＭＡＸ送受信部５２及びＣＤＭＡ送受信部５３を備えている。Ｗｉ−Ｆｉ送受信部５１、ＷｉＭＡＸ送受信部５２及びＣＤＭＡ送受信部５３には、それぞれＷｉ−Ｆｉ用のアンテナ６３、ＷｉＭＡＸ用のアンテナ６２及びＣＤＭＡ用のアンテナ６１が接続されている。
【００３５】
無線通信端末２１は、ＣＰＵ（Ｃｅｎｔｒａｌ  Ｐｒｏｃｅｓｓｉｎｇ  Ｕｎｉｔ、中央処理装置）５４、液晶ディスプレイなどの表示部５５、マイク５６、スピーカ５７、及びキーパッドなどの入力部５８の各モジュールを備えている。また、無線通信端末２１は、ＲＡＭ（Ｒａｎｄｏｍ  Ａｃｃｅｓｓ  Ｍｅｍｏｒｙ、ランダム・アクセス・メモリ）やＲＯＭ（Ｒｅａｄ  Ｏｎｌｙ  Ｍｅｍｏｒｙ、リード・オンリー・メモリ）やフラッシュメモリなどの記憶部５９のモジュールを備えている。
【００３６】
記憶部５９は、後述する無線通信方法を実現するプログラムやアプリケーション・プログラムを格納していてもよい。無線通信方法を実現するプログラムやアプリケーション・プログラムは、例えば記憶部５９から読み出されてＣＰＵ５４で実行される。Ｗｉ−Ｆｉ送受信部５１、ＷｉＭＡＸ送受信部５２及びＣＤＭＡ送受信部５３は、各モジュール５５〜５９とともに、ＣＰＵ５４により制御される。
【００３７】
・無線通信端末の機能的構成の説明
図６は、実施例２にかかる無線通信端末の機能的構成を示すブロック図である。図６に示すように、無線通信端末２１は、プロトコル処理部７１及びアプリケーション処理部７８を有する。プロトコル処理部７１は、通信制御を行うとともに、Ｗｉ−Ｆｉ送受信部５１、ＷｉＭＡＸ送受信部５２及びＣＤＭＡ送受信部５３とアプリケーション処理部７８との間でデータの受け渡しを行う。プロトコル処理部７１は、後述する無線通信方法を実現するプログラムをＣＰＵ５４が実行することにより実現される。
【００３８】
アプリケーション処理部７８は、アプリケーションを実行する。アプリケーション処理部７８は、アプリケーション・プログラムをＣＰＵ５４が実行することにより実現されてもよい。
【００３９】
プロトコル処理部７１は、Ｗｉ−Ｆｉ制御部７２及びＷｉＭＡＸ制御部７３、ＣＤＭＡ制御部７４を備えている。Ｗｉ−Ｆｉ制御部７２は、Ｗｉ−Ｆｉ送受信部５１を制御し、Ｗｉ−Ｆｉ送受信部５１との間でデータの受け渡しを行う。ＷｉＭＡＸ制御部７３は、ＷｉＭＡＸ送受信部５２を制御し、ＷｉＭＡＸ送受信部５２との間でデータの受け渡しを行う。ＣＤＭＡ制御部７４は、ＣＤＭＡ送受信部５３を制御し、ＣＤＭＡ送受信部５３との間でデータの受け渡しを行う。
【００４０】
プロトコル処理部７１は、記憶部７５、タイマー管理部７６、及び制御部として切替制御部７７を有する。切替制御部７７は、Ｗｉ−Ｆｉ制御部７２、ＷｉＭＡＸ制御部７３及びＣＤＭＡ制御部７４に対し、通信方式の切り替えを制御する。切替制御部７７は、アプリケーション処理部７８との間でデータの受け渡しを行う。
【００４１】
記憶部７５には、第１の時間であるｔ１時間を計時する第１のタイマーとして例えばｔ１タイマー、及び第２の時間であるｔ２時間（ｔ１＜ｔ２）を計時する第２のタイマーとして例えばｔ２タイマーがソフトウェアとして実現されていてもよい。ｔ２タイマーは、ｔ１タイマーよりも後で計時を終了する。例えばｔ１タイマーとｔ２タイマーとが同時に計時を開始する場合には、ｔ２時間がｔ１時間よりも長い。無線通信端末２１は、ｔ１時間の間、Ｗｉ−Ｆｉ、ＷｉＭＡＸ及びＣＤＭＡの各通信方式において、同じ通信方式での再接続動作を継続してもよい。無線通信端末２１は、ｔ２時間の間、ネットワーク側から割り当てられたＩＰアドレスなどの識別情報を保持していてもよい。タイマー管理部７６は、ｔ１タイマー及びｔ２タイマーを管理する。
【００４２】
ｔ１時間及びｔ２時間は、通信方式ごとに決められていてもよい。例えば、基地局やアクセスポイントなどの上位局が密に配置されていて、エリアカバー率が高いシステムでは、ｔ１時間を短くして、他のシステムへの切り替えを早くしてもよい。上述した三つの通信方式のシステムでは、ＣＤＭＡがエリアカバー率の高いシステムに該当する。ＣＤＭＡの場合の一例として、ｔ１時間は３秒であってもよいし、ｔ２時間は３０秒であってもよい。
【００４３】
また、上位局の配置が疎であり、エリアカバー率が低いシステムでは、ｔ１時間を長くして、同じシステムでの再接続を試み、他のシステムへ切り替え難くしてもよい。上述した三つの通信方式のシステムでは、ＷｉＭＡＸがエリアカバー率の低いシステムに該当する。ＷｉＭＡＸの場合の一例として、ｔ１時間は５秒であってもよいし、ｔ２時間は５０秒であってもよい。
【００４４】
また、基本的に上位局間でハンドオフをしないで一つの上位局のもとで通信を行うようなシステムでは、ｔ１時間及びｔ２時間の両方を長くしてもよい。上述した三つの通信方式のシステムでは、Ｗｉ−Ｆｉがハンドオフをしないようなシステムに該当する。Ｗｉ−Ｆｉの場合の一例として、ｔ１時間は１０秒であってもよいし、ｔ２時間は１２０秒であってもよい。
【００４５】
・タイマーと動作との関係
図７は、実施例２にかかる無線通信端末のタイマーと動作との関係を説明する模式図である。図７に示すように、ｔ１タイマー及びｔ２タイマーは、接続中のネットワークに対する待ち受け状態の時に無線通信状態が悪化した時点Ｔ１で例えば同時に起動されてもよい。図７に示す例では、無線通信端末２１は、例えばＷｉ−Ｆｉアクセスネットワーク２２に接続中である。この例では、第１のネットワークはＷｉ−Ｆｉアクセスネットワーク２２である。Ｗｉ−Ｆｉアクセスネットワーク２２に接続中に例えばＷｉ−Ｆｉ信号がドロップしたり、パケットロスが発生した場合に、ネットワークとの無線通信状態が悪化したとしてもよい。
【００４６】
ｔ１タイマーの起動中、無線通信端末２１は、接続中のネットワーク（Ｗｉ−Ｆｉアクセスネットワーク２２）に対する待ち受け状態に復帰できるように、再スキャンのリトライ動作を継続する。その際、無線通信端末２１は、接続中のネットワーク（Ｗｉ−Ｆｉアクセスネットワーク２２）だけでなく、他のネットワーク（ＷｉＭＡＸアクセスネットワーク２５及びＣＤＭＡアクセスネットワーク２８）についても接続可能な状態にあるか否かを調べている。
【００４７】
ｔ１タイマーの起動中に、接続中のネットワーク（Ｗｉ−Ｆｉアクセスネットワーク２２）に対して再度待ち受け状態に復帰すると、無線通信端末２１は、ｔ１タイマーを停止して接続中のネットワーク（Ｗｉ−Ｆｉアクセスネットワーク２２）に対して通信を継続する。ｔ１タイマーの起動中に、接続中のネットワーク（Ｗｉ−Ｆｉアクセスネットワーク２２）に対して再度待ち受け状態に復帰できない場合、無線通信端末２１は、ｔ１タイマーの満了時点Ｔ２において他に接続可能なネットワークがあるかを確認する。
【００４８】
他に接続可能なネットワークがある場合には、無線通信端末２１は、接続先を、接続中のネットワーク（Ｗｉ−Ｆｉアクセスネットワーク２２）から接続可能な他のネットワークに切り替える。その際、無線通信端末２１は、接続に対する優先順位の高い順に接続してもよい。
【００４９】
例えば、優先順位が高い順にＷｉ−Ｆｉ、ＷｉＭＡＸ及びＣＤＭＡである場合で、ＷｉＭＡＸアクセスネットワーク２５に接続可能な場合には、無線通信端末２１は、接続先をＷｉＭＡＸアクセスネットワーク２５に切り替える。この場合の第２のネットワークはＷｉＭＡＸアクセスネットワーク２５である。ＷｉＭＡＸアクセスネットワーク２５が接続可能な状態になく、ＣＤＭＡアクセスネットワーク２８に接続可能な場合には、無線通信端末２１は、接続先をＣＤＭＡアクセスネットワーク２８に切り替える。この場合の第２のネットワーク１２はＣＤＭＡアクセスネットワーク２８である。
【００５０】
一方、ｔ１タイマーの満了時点Ｔ２において他に接続可能なネットワークがない場合もある。この場合には、ｔ２タイマーが満了するまで、無線通信端末２１は、接続中のネットワーク（Ｗｉ−Ｆｉアクセスネットワーク２２）に対する待ち受け状態に復帰できるように、再スキャンのリトライ動作を継続する。
【００５１】
図８は、実施例２にかかる無線通信端末のタイマーと動作との関係を説明する模式図である。図８に示すように、ｔ２タイマーの起動中に、接続中のネットワーク（Ｗｉ−Ｆｉアクセスネットワーク２２）に対して再度待ち受け状態に復帰できない場合がある。この場合には、ｔ２タイマーの満了時点Ｔ３において、無線通信端末２１は、ネットワーク側から割り当てられたＩＰアドレスなどの識別情報を解放して、圏外状態となる。
【００５２】
・無線通信方法の説明
・Ｗｉ−Ｆｉ方式で通信中の例
図９は、実施例２にかかる無線通信方法を説明するフローチャートである。図１０は、図９の続きを示すフローチャートである。図９に示すように、無線通信方法が開始されると、無線通信端末２１のＷｉ−Ｆｉ制御部７２、ＷｉＭＡＸ制御部７３、ＣＤＭＡ制御部７４及び切替制御部７７は、Ｗｉ−Ｆｉ、ＷｉＭＡＸ及びＣＤＭＡに対してスキャン動作及び待ち受け動作を行う（ステップＳ１１）。その結果、無線通信端末２１は、例えばＷｉ−Ｆｉアクセスネットワーク２２に対して待ち受け状態となる（ステップＳ１２）。
【００５３】
スキャンの結果、Ｗｉ−Ｆｉアクセスネットワーク２２が接続可能な状態になく、ＷｉＭＡＸアクセスネットワーク２５が接続可能な状態にある場合には、無線通信端末２１は、ＷｉＭＡＸアクセスネットワーク２５に対して待ち受け状態となる。スキャンの結果、Ｗｉ−Ｆｉアクセスネットワーク２２及びＷｉＭＡＸアクセスネットワーク２５がともに接続可能な状態になく、ＣＤＭＡアクセスネットワーク２８が接続可能な状態にある場合には、無線通信端末２１は、ＣＤＭＡアクセスネットワーク２８に対して待ち受け状態となる。ここでは、Ｗｉ−Ｆｉアクセスネットワーク２２に対して待ち受け状態になったとする。この場合の第１のネットワークはＷｉ−Ｆｉアクセスネットワーク２２である。
【００５４】
Ｗｉ−Ｆｉ制御部７２及び切替制御部７７は、Ｗｉ−Ｆｉアクセスネットワーク２２に対して接続動作を行い（ステップＳ１３）、Ｗｉ−Ｆｉ方式で通信中の状態となる（ステップＳ１４）。Ｗｉ−Ｆｉ方式で通信中、待ち受け状態から、例えば無線通信端末２１がＷｉ−Ｆｉアクセスポイント２４からの信号をドロップして、例えばＷｉ−Ｆｉアクセスポイント２４との同期が外れると、タイマー管理部７６は、ｔ１タイマー及びｔ２タイマーを起動する（ステップＳ１５）。ｔ１タイマーの動作中、Ｗｉ−Ｆｉ制御部７２、ＷｉＭＡＸ制御部７３、ＣＤＭＡ制御部７４及び切替制御部７７は、再スキャン動作を行う（ステップＳ１６）。なお、ステップＳ１６において、ＷｉＭＡＸ及びＣＤＭＡに対する再スキャン動作を省略してもよい。
【００５５】
再スキャンが成功して（ステップＳ１７：Ｙｅｓ）、Ｗｉ−Ｆｉアクセスネットワーク２２に対して待ち受け状態に復帰できた場合、タイマー管理部７６は、ｔ１タイマーを停止する（ステップＳ１８）。そして、無線通信端末２１は、Ｗｉ−Ｆｉ制御部７２によりＷｉ−Ｆｉ方式で通信中の状態に復帰する（ステップＳ１９）。再スキャンに失敗した場合（ステップＳ１７：Ｎｏ）、ｔ１タイマーが満了するまでの間（ステップＳ２０：Ｎｏ）、Ｗｉ−Ｆｉ制御部７２、ＷｉＭＡＸ制御部７３、ＣＤＭＡ制御部７４及び切替制御部７７は、再スキャンを繰り返す（ステップＳ１６〜ステップＳ２０）。
【００５６】
ｔ１タイマーが満了したら（ステップＳ２０：Ｙｅｓ）、図１０に示すように、切替制御部７７は、ＷｉＭＡＸ方式で通信が可能か否か判断する（ステップＳ２１）。ＷｉＭＡＸ方式での通信が可能な状態にある場合（ステップＳ２１：Ｙｅｓ）、タイマー管理部７６は、ｔ２タイマーを停止する（ステップＳ２２）。また、切替制御部７７は、通信方式をＷｉＭＡＸに切り替える（ステップＳ２３）。そして、無線通信端末２１は、ＷｉＭＡＸ制御部７３によりＷｉＭＡＸ方式で通信中の状態となる（ステップＳ２４）。この場合の第２のネットワークはＷｉＭＡＸアクセスネットワーク２５である。
【００５７】
一方、ＷｉＭＡＸ方式での通信が可能な状態にない場合（ステップＳ２１：Ｎｏ）、切替制御部７７は、ＣＤＭＡ方式で通信が可能か否か判断する（ステップＳ２５）。ＣＤＭＡ方式での通信が可能な状態にある場合（ステップＳ２５：Ｙｅｓ）、タイマー管理部７６は、ｔ２タイマーを停止する（ステップＳ２６）。また、切替制御部７７は、通信方式をＣＤＭＡに切り替える（ステップＳ２７）。そして、無線通信端末２１は、ＣＤＭＡ制御部７４によりＣＤＭＡ方式で通信中の状態となる（ステップＳ２８）。この場合の第２のネットワークはＣＤＭＡアクセスネットワーク２８である。
【００５８】
一方、ＣＤＭＡ方式での通信が可能な状態にない場合（ステップＳ２５：Ｎｏ）、Ｗｉ−Ｆｉ制御部７２、ＷｉＭＡＸ制御部７３、ＣＤＭＡ制御部７４及び切替制御部７７は、再スキャン動作を行う（ステップＳ２９）。なお、ステップＳ２９において、ＷｉＭＡＸ及びＣＤＭＡに対する再スキャン動作を省略してもよい。
【００５９】
再スキャンが成功して（ステップＳ３０：Ｙｅｓ）、Ｗｉ−Ｆｉアクセスネットワーク２２に対して待ち受け状態に復帰できた場合、タイマー管理部７６は、ｔ２タイマーを停止する（ステップＳ３１）。そして、無線通信端末２１は、Ｗｉ−Ｆｉ制御部７２によりＷｉ−Ｆｉ方式で通信中の状態に復帰する（ステップＳ３２）。再スキャンに失敗した場合（ステップＳ３０：Ｎｏ）、ｔ２タイマーが満了するまでの間（ステップＳ３３：Ｎｏ）、Ｗｉ−Ｆｉ制御部７２、ＷｉＭＡＸ制御部７３、ＣＤＭＡ制御部７４及び切替制御部７７は、再スキャンを繰り返す（ステップＳ２９〜ステップＳ３３）。
【００６０】
ｔ２タイマーが満了したら（ステップＳ３３：Ｙｅｓ）、切替制御部７７は、例えばＩＰアドレスなどの識別情報を解放し、圏外移行処理を行う（ステップＳ３４）。それによって、無線通信端末２１は圏外状態となる（ステップＳ３５）。圏外状態の無線通信端末２１は、ステップＳ１１からの処理を繰り返す。
【００６１】
・ＷｉＭＡＸ方式で通信中の例
図１１は、実施例２にかかる無線通信方法を説明するフローチャートである。図１２は、図１１の続きを示すフローチャートである。図１１に示すように、無線通信方法が開始されると、無線通信端末２１のＷｉ−Ｆｉ制御部７２、ＷｉＭＡＸ制御部７３、ＣＤＭＡ制御部７４及び切替制御部７７は、Ｗｉ−Ｆｉ、ＷｉＭＡＸ及びＣＤＭＡに対してスキャン動作及び待ち受け動作を行う（ステップＳ１１）。その結果、無線通信端末２１は、例えばＷｉＭＡＸアクセスネットワーク２５に対して待ち受け状態となる（ステップＳ４２）。
【００６２】
スキャンの結果、Ｗｉ−Ｆｉアクセスネットワーク２２が接続可能な状態にある場合には、無線通信端末２１は、Ｗｉ−Ｆｉアクセスネットワーク２２に対して待ち受け状態となる。スキャンの結果、Ｗｉ−Ｆｉアクセスネットワーク２２及びＷｉＭＡＸアクセスネットワーク２５がともに接続可能な状態になく、ＣＤＭＡアクセスネットワーク２８が接続可能な状態にある場合には、無線通信端末２１は、ＣＤＭＡアクセスネットワーク２８に対して待ち受け状態となる。ここでは、ＷｉＭＡＸアクセスネットワーク２５に対して待ち受け状態になったとする。この場合の第１のネットワークはＷｉＭＡＸアクセスネットワーク２５である。
【００６３】
ＷｉＭＡＸ制御部７３及び切替制御部７７は、ＷｉＭＡＸアクセスネットワーク２５に対して接続動作を行い（ステップＳ４３）、ＷｉＭＡＸ方式で通信中の状態となる（ステップＳ４４）。ＷｉＭＡＸ方式で通信中、待ち受け状態から、例えば無線通信端末２１がＷｉＭＡＸ基地局２７からの信号をドロップすると、タイマー管理部７６は、ｔ１タイマー及びｔ２タイマーを起動する（ステップＳ４５）。ｔ１タイマーの動作中、Ｗｉ−Ｆｉ制御部７２、ＷｉＭＡＸ制御部７３、ＣＤＭＡ制御部７４及び切替制御部７７は、再スキャン動作を行う（ステップＳ４６）。なお、ステップＳ４６において、Ｗｉ−Ｆｉ及びＣＤＭＡに対する再スキャン動作を省略してもよい。
【００６４】
再スキャンが成功して（ステップＳ４７：Ｙｅｓ）、ＷｉＭＡＸアクセスネットワーク２５に対して待ち受け状態に復帰できた場合、タイマー管理部７６は、ｔ１タイマーを停止する（ステップＳ４８）。そして、無線通信端末２１は、ＷｉＭＡＸ制御部７３によりＷｉＭＡＸ方式で通信中の状態に復帰する（ステップＳ４９）。再スキャンに失敗した場合（ステップＳ４７：Ｎｏ）、ｔ１タイマーが満了するまでの間（ステップＳ５０：Ｎｏ）、Ｗｉ−Ｆｉ制御部７２、ＷｉＭＡＸ制御部７３、ＣＤＭＡ制御部７４及び切替制御部７７は、再スキャンを繰り返す（ステップＳ４６〜ステップＳ５０）。
【００６５】
ｔ１タイマーが満了したら（ステップＳ５０：Ｙｅｓ）、図１２に示すように、切替制御部７７は、ＣＤＭＡ方式で通信が可能か否か判断する（ステップＳ５１）。ＣＤＭＡ方式での通信が可能な状態にある場合（ステップＳ５１：Ｙｅｓ）、タイマー管理部７６は、ｔ２タイマーを停止する（ステップＳ５２）。また、切替制御部７７は、通信方式をＣＤＭＡに切り替える（ステップＳ５３）。そして、無線通信端末２１は、ＣＤＭＡ制御部７４によりＣＤＭＡ方式で通信中の状態となる（ステップＳ５４）。この場合の第２のネットワークはＣＤＭＡアクセスネットワーク２８である。
【００６６】
一方、ＣＤＭＡ方式での通信が可能な状態にない場合（ステップＳ５１：Ｎｏ）、Ｗｉ−Ｆｉ制御部７２、ＷｉＭＡＸ制御部７３、ＣＤＭＡ制御部７４及び切替制御部７７は、再スキャン動作を行う（ステップＳ５５）。なお、ステップＳ５５において、Ｗｉ−Ｆｉ及びＣＤＭＡに対する再スキャン動作を省略してもよい。
【００６７】
再スキャンが成功して（ステップＳ５６：Ｙｅｓ）、ＷｉＭＡＸアクセスネットワーク２５に対して待ち受け状態に復帰できた場合、タイマー管理部７６は、ｔ２タイマーを停止する（ステップＳ５７）。そして、無線通信端末２１は、ＷｉＭＡＸ制御部７３によりＷｉＭＡＸ方式で通信中の状態に復帰する（ステップＳ５８）。再スキャンに失敗した場合（ステップＳ５６：Ｎｏ）、ｔ２タイマーが満了するまでの間（ステップＳ５９：Ｎｏ）、Ｗｉ−Ｆｉ制御部７２、ＷｉＭＡＸ制御部７３、ＣＤＭＡ制御部７４及び切替制御部７７は、再スキャンを繰り返す（ステップＳ５５〜ステップＳ５９）。
【００６８】
ｔ２タイマーが満了したら（ステップＳ５９：Ｙｅｓ）、切替制御部７７は、例えばＩＰアドレスなどの識別情報を解放し、圏外移行処理を行う（ステップＳ６０）。それによって、無線通信端末２１は圏外状態となる（ステップＳ６１）。圏外状態の無線通信端末２１は、ステップＳ１１からの処理を繰り返す。
【００６９】
・ＣＤＭＡ方式で通信中の例
図１３は、実施例２にかかる無線通信方法を説明するフローチャートである。図１４は、図１３の続きを示すフローチャートである。図１３に示すように、無線通信方法が開始されると、無線通信端末２１のＷｉ−Ｆｉ制御部７２、ＷｉＭＡＸ制御部７３、ＣＤＭＡ制御部７４及び切替制御部７７は、Ｗｉ−Ｆｉ、ＷｉＭＡＸ及びＣＤＭＡに対してスキャン動作及び待ち受け動作を行う（ステップＳ１１）。その結果、無線通信端末２１は、例えばＣＤＭＡアクセスネットワーク２８に対して待ち受け状態となる（ステップＳ７２）。
【００７０】
スキャンの結果、Ｗｉ−Ｆｉアクセスネットワーク２２が接続可能な状態にある場合には、無線通信端末２１は、Ｗｉ−Ｆｉアクセスネットワーク２２に対して待ち受け状態となる。スキャンの結果、Ｗｉ−Ｆｉアクセスネットワーク２２が接続可能な状態になく、ＷｉＭＡＸアクセスネットワーク２５が接続可能な状態にある場合には、無線通信端末２１は、ＷｉＭＡＸアクセスネットワーク２５に対して待ち受け状態となる。ここでは、ＣＤＭＡアクセスネットワーク２８に対して待ち受け状態になったとする。この場合の第１のネットワークはＣＤＭＡアクセスネットワーク２８である。
【００７１】
ＣＤＭＡ制御部７４及び切替制御部７７は、ＣＤＭＡアクセスネットワーク２８に対して接続動作を行い（ステップＳ７３）、ＣＤＭＡ方式で通信中の状態となる（ステップＳ７４）。ＣＤＭＡ方式で通信中、待ち受け状態から、例えば無線通信端末２１がＣＤＭＡ基地局３０からの信号をドロップすると、タイマー管理部７６は、ｔ１タイマー及びｔ２タイマーを起動する（ステップＳ７５）。ｔ１タイマーの動作中、Ｗｉ−Ｆｉ制御部７２、ＷｉＭＡＸ制御部７３、ＣＤＭＡ制御部７４及び切替制御部７７は、再スキャン動作を行う（ステップＳ７６）。なお、ステップＳ７６において、Ｗｉ−Ｆｉ及びＷｉＭＡＸに対する再スキャン動作を省略してもよい。
【００７２】
再スキャンが成功して（ステップＳ７７：Ｙｅｓ）、ＣＤＭＡアクセスネットワーク２８に対して待ち受け状態に復帰できた場合、タイマー管理部７６は、ｔ１タイマーを停止する（ステップＳ７８）。そして、無線通信端末２１は、ＣＤＭＡ制御部７４によりＣＤＭＡ方式で通信中の状態に復帰する（ステップＳ７９）。再スキャンに失敗した場合（ステップＳ７７：Ｎｏ）、ｔ１タイマーが満了するまでの間（ステップＳ８０：Ｎｏ）、Ｗｉ−Ｆｉ制御部７２、ＷｉＭＡＸ制御部７３、ＣＤＭＡ制御部７４及び切替制御部７７は、再スキャンを繰り返す（ステップＳ７６〜ステップＳ８０）。
【００７３】
ｔ１タイマーが満了した時点で（ステップＳ８０：Ｙｅｓ）、図１４に示すように、待ち受け中の通信網（ネットワーク）は存在しない（ステップＳ８１）。つまり、接続可能な状態の第２のネットワークが存在しない。従って、Ｗｉ−Ｆｉ制御部７２、ＷｉＭＡＸ制御部７３、ＣＤＭＡ制御部７４及び切替制御部７７は、再スキャン動作を行う（ステップＳ８２）。なお、ステップＳ８２において、Ｗｉ−Ｆｉ及びＷｉＭＡＸに対する再スキャン動作を省略してもよい。
【００７４】
再スキャンが成功して（ステップＳ８３：Ｙｅｓ）、ＣＤＭＡアクセスネットワーク２８に対して待ち受け状態に復帰できた場合、タイマー管理部７６は、ｔ２タイマーを停止する（ステップＳ８４）。そして、無線通信端末２１は、ＣＤＭＡ制御部７４によりＣＤＭＡ方式で通信中の状態に復帰する（ステップＳ８５）。再スキャンに失敗した場合（ステップＳ８３：Ｎｏ）、ｔ２タイマーが満了するまでの間（ステップＳ８６：Ｎｏ）、Ｗｉ−Ｆｉ制御部７２、ＷｉＭＡＸ制御部７３、ＣＤＭＡ制御部７４及び切替制御部７７は、再スキャンを繰り返す（ステップＳ８２〜ステップＳ８６）。
【００７５】
ｔ２タイマーが満了したら（ステップＳ８６：Ｙｅｓ）、切替制御部７７は、例えばＩＰアドレスなどの識別情報を解放し、圏外移行処理を行う（ステップＳ８７）。それによって、無線通信端末２１は圏外状態となる（ステップＳ８８）。圏外状態の無線通信端末２１は、ステップＳ１１からの処理を繰り返す。
【００７６】
以上のフローチャートにおいて、ステップＳ３５、ステップＳ６１及びステップＳ８８で無線通信端末２１が圏外状態となった後、ステップＳ１１でスキャン動作及び待ち受け動作を行った結果、Ｗｉ−Ｆｉアクセスネットワーク２２に対して待ち受け状態となる場合には、ステップＳ１２へ進む。ＷｉＭＡＸアクセスネットワーク２５に対して待ち受け状態となる場合には、ステップＳ４２へ進む。ＣＤＭＡアクセスネットワーク２８に対して待ち受け状態となる場合には、ステップＳ７２へ進む。
【００７７】
また、ステップＳ１９及びステップＳ３２でＷｉ−Ｆｉ方式で通信中の状態に復帰した場合、ステップＳ１４へ進む。ステップＳ２４、ステップＳ４９及びステップＳ５８でＷｉＭＡＸで通信中の状態になった場合、ステップＳ４４へ進む。ステップＳ２８、ステップＳ５４、ステップＳ７９及びステップＳ８５でＣＤＭＡで通信中の状態になった場合、ステップＳ７４へ進む。
【００７８】
実施例２によれば、実施例１と同様の効果が得られる。
【００７９】
なお、ｔ２タイマーは、ｔ１タイマーが満了するタイミングよりも後のタイミングで満了すれば、ｔ１タイマーと同時に起動しなくてもよい。また、無線通信端末は、携帯電話機に限らず、複数の通信方式に対応した携帯情報端末、携帯型のゲーム機または種々の測定器などであってもよい。また、無線通信端末は、いわゆるスマートフォンと呼ばれる携帯電話機と携帯情報端末としての機能を併せ持つ端末であってもよい。また、実施例１及び実施例２において、タイマーは、ソフトウェアで実現されてもよいし、ハードウェアで実現されてもよい。また、タイマーの数は、一つでもよいし、二つ以上であってもよい。
【００８０】
上述した実施例１、２に関し、さらに以下の付記を開示する。
【００８１】
（付記１）通信方式が異なる第１のネットワークと第２のネットワークのそれぞれに対応する通信方式による無線通信によって前記第１のネットワークと前記第２のネットワークのいずれかに接続する無線通信部と、前記無線通信部が接続するネットワークの切り替えを制御する制御部と、無線通信状態に基づいて計時を開始し一定時間経過時に第１の時間の計時を終了し、無線通信状態に基づいて計時を開始し前記第１の時間より長い第２の時間の計時を終了するタイマーと、を備え、前記制御部は、前記タイマーが前記第１の時間の計時を終了するまでは前記無線通信部が接続する前記第１のネットワークを維持して該第１のネットワークに対して再接続を試行し、前記タイマーが前記第１の時間の計時を終了した時に接続可能な状態の前記第２のネットワークが存在する場合には、前記無線通信部の接続先を該第２のネットワークに切り替え、前記タイマーが前記第１の時間の計時を終了した時に接続可能な状態の前記第２のネットワークが存在しない場合には、前記タイマーが前記第２の時間の計時を終了するまで、前記タイマーが前記第１の時間の計時を終了するまで維持していた接続先の前記第１のネットワークに対して再接続を試行することを特徴とする無線通信端末。
【００８２】
（付記２）前記タイマーは、無線通信状態に基づいて計時を開始し一定時間経過した時に第１の時間の計時を終了する第１のタイマーと、無線通信状態に基づいて計時を開始し前記第１の時間より長い第２の時間の計時を終了する第２のタイマーと、を備えることを特徴とする付記１に記載の無線通信端末。
【００８３】
（付記３）前記タイマーは、無線通信状態が悪化した時に計時を開始することを特徴とする付記１に記載の無線通信端末。
【００８４】
（付記４）前記第１のタイマー及び前記第２のタイマーは、無線通信状態が悪化した時に計時を開始することを特徴とする付記２に記載の無線通信端末。
【００８５】
（付記５）前記第１の時間及び前記第２の時間に基づく、計時開始から計時終了までの時間は、ネットワークごとに決められることを特徴とする付記１乃至４のいずれか一項に記載の無線通信端末。
【００８６】
（付記６）前記制御部は、前記タイマーあるいは前記第２のタイマーが前記第２の時間の計時を終了した時に、前記第１のネットワークから割り当てられた識別情報を解放して圏外とすることを特徴とする付記１乃至５のいずれか一項に記載の無線通信端末。
【００８７】
（付記７）前記通信方式は、Ｗｉ−Ｆｉ（Ｗｉｒｅｌｅｓｓ  Ｆｉｄｅｌｉｔｙ）規格の通信方式、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）規格の通信方式、ＣＤＭＡ（Ｃｏｄｅ  Ｄｉｖｉｓｉｏｎ  Ｍｕｌｔｉｐｌｅ  Ａｃｃｅｓｓ）  １ｘ／ＥＶＤＯ（Ｅｖｏｌｕｔｉｏｎ  Ｄａｔａ  Ｏｎｌｙ）規格の通信方式を含むことを特徴とする付記１乃至６のいずれか一項に記載の無線通信端末。
【００８８】
（付記８）前記第１の時間に基づく計時開始から計時終了までの時間、及び前記第２の時間に基づく計時開始から計時終了までの時間は、ＣＤＭＡ  １ｘ／ＥＶＤＯ、ＷｉＭＡＸ及びＷｉ−Ｆｉの順に長いことを特徴とする付記７に記載の無線通信端末。
【００８９】
（付記９）無線通信状態に基づいて開始され一定時間経過時に終了する第１の時間が終了するまで接続先の第１のネットワークを維持して該第１のネットワークに対して該第１のネットワークに対応する通信方式によって再接続を試行し、前記第１の時間が終了した時に別の通信方式により接続可能な状態の第２のネットワークが存在する場合には、接続先を該第２のネットワークに切り替え、前記第１の時間が終了した時に別の通信方式により接続可能な状態の第２のネットワークが存在しない場合には、無線通信状態に基づいて計時を開始し前記第１の時間より長い第２の時間が終了するまで、前記第１の時間が終了するまで維持していた接続先の前記第１のネットワークに対して再接続を試行することを特徴とする無線通信方法。
【００９０】
（付記１０）前記第１の時間及び前記第２の時間は、無線通信状態が悪化した時に開始することを特徴とする付記９に記載の無線通信方法。
【００９１】
（付記１１）前記第１の時間及び前記第２の時間は、ネットワークごとに決められることを特徴とする付記９または１０に記載の無線通信方法。
【００９２】
（付記１２）前記第２の時間が終了した時に、前記第１のネットワークから割り当てられた識別情報を解放して圏外とすることを特徴とする付記９乃至１１のいずれか一項に記載の無線通信方法。
【００９３】
（付記１３）前記通信方式は、Ｗｉ−Ｆｉ（Ｗｉｒｅｌｅｓｓ  Ｆｉｄｅｌｉｔｙ）規格の通信方式、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）規格の通信方式、ＣＤＭＡ（Ｃｏｄｅ  Ｄｉｖｉｓｉｏｎ  Ｍｕｌｔｉｐｌｅ  Ａｃｃｅｓｓ）  １ｘ／ＥＶＤＯ（Ｅｖｏｌｕｔｉｏｎ  Ｄａｔａ  Ｏｎｌｙ）規格の通信方式を含むことを特徴とする付記９乃至１２のいずれか一項に記載の無線通信方法。
【００９４】
（付記１４）前記第１の時間、及び前記第２の時間は、ＣＤＭＡ  １ｘ／ＥＶＤＯ、ＷｉＭＡＸ及びＷｉ−Ｆｉの順に長いことを特徴とする付記１３に記載の無線通信方法。
【符号の説明】
【００９５】
１，２１  無線通信端末
２  無線通信部
３  制御部
４  第１のタイマー
５  第２のタイマー
６  タイマー
１１，１２，２２，２５，２８  ネットワーク
【図１】
2013078065.tif 000003
【図２】
2013078065.tif 000004
【図３】
2013078065.tif 000005
【図４】
2013078065.tif 000006
【図５】
2013078065.tif 000007
【図６】
2013078065.tif 000008
【図７】
2013078065.tif 000009
【図８】
2013078065.tif 000010
【図９】
2013078065.tif 000011
【図１０】
2013078065.tif 000012
【図１１】
2013078065.tif 000013
【図１２】
2013078065.tif 000014
【図１３】
2013078065.tif 000015
【図１４】
2013078065.tif 000016